(57)【要約】      （修正有）【課題】本考案は、穀物等を保存、取り出すために用いられる収納ボックスを提供する。また、この収納ボックスを備えた冷蔵庫を提供する。【解決手段】本考案の収納ボックス１０は、冷蔵庫に設置され、保存部１０２、バッフル１０３及び取出し部１０４を備える。保存部１０２の底部には穿孔が設けられ、取出し部１０４はこの穿孔の下方に位置し、バッフル１０３は移動可能に保存部１０２と取出し部１０４との間に設置され、選択的に穿孔を塞ぐまたは穿孔を取出し部１０４から露出させる。収納ボックス１０は、使用者が穀物等を保存、取り出すのを容易にする。また、本考案は、当該収納ボックスを備えた冷蔵庫も提供する。【選択図】図２
0003216769.tif 000002
【実用新案登録請求の範囲】
【請求項１】
冷蔵庫に設置される収納ボックスであって、前記収納ボックスは、保存部、バッフル及び取出し部を備え、前記保存部の底部には穿孔が設けられており、前記取出し部は前記穿孔の下方に位置し、前記バッフルは移動可能に前記保存部と前記取出し部との間に設置され、選択的に前記穿孔を塞ぐまたは前記穿孔を前記取出し部から露出させることを特徴とする収納ボックス。
【請求項２】
前記保存部の頂部には第一開口が設置されており、前記収納ボックスはさらに蓋を備え、前記蓋は前記第一開口をカバーすることを特徴とする請求項１に記載の収納ボックス。
【請求項３】
前記バッフル上には開孔が設けられており、前記開孔は、バッフルの移動に基づいて前記穿孔と一部が重なり合うまたは完全に重なり合うことを特徴とする請求項１に記載の収納ボックス。
【請求項４】
前記保存部の底部は斜面に設けられており、前記穿孔は前記斜面の最も低い位置に設置されていることを特徴とする請求項１に記載の収納ボックス。
【請求項５】
前記収納ボックスはさらに収納部を備え、前記収納部は前記バッフル及び前記取出し部を収納するために用いられ、前記収納部は前記保存部の下方に設置され、前記保存部は前記収納部に係合して接続されることを特徴とする請求項１に記載の収納ボックス。
【請求項６】
前記収納部は周壁及び底壁を備え、前記底壁は前記周壁と接続されて収容空間を形成することを特徴とする請求項５に記載の収納ボックス。
【請求項７】
前記周壁の前記底壁に近接する位置には第二開口が設置されていることを特徴とする請求項６に記載の収納ボックス。
【請求項８】
前記収納部はさらに支持板を備え、前記支持板は収容空間内に位置し、前記支持板は前記周壁の第二開口の両側に分かれて設置され、前記支持板は前記周壁とほぼ垂直すると共に、前記底壁とほぼ平行であることを特徴とする請求項７に記載の収納ボックス。
【請求項９】
前記収納ボックスは、さらにひっかけ部を備えることを特徴とする請求項１に記載の収納ボックス。
【請求項１０】
冷蔵庫であって、少なくとも請求項１〜９の何れか一項に記載の収納ボックスを備えることを特徴とする冷蔵庫。
【考案の詳細な説明】
【技術分野】
【０００１】
本考案は、収納ボックス及びこの収納ボックスを備えた冷蔵庫に関するものである。
【背景技術】
【０００２】
現在、市場に出ている冷蔵庫には、穀物等を単独で保存できる場所が設けられていない。穀物等を自然環境中に保存した場合、カビが容易に発生し、虫もわきやすい。したがって、ファン式冷蔵庫に保存すれば、冷蔵庫内の乾燥した環境において穀物等の品質及び食感を維持できる。故に、当業者に対して上記のような製品への開発の要望が高まっている。
【考案の概要】
【考案が解決しようとする課題】
【０００３】
以上の問題点に鑑みて、本考案は、穀物等を保存、取り出すために用いられる収納ボックスを提供することを目的とする。また、この収納ボックスを備えた冷蔵庫を提供することも目的とする。
【課題を解決するための手段】
【０００４】
上記の課題を解決するために、本考案の収納ボックスは冷蔵庫に設置され、保存部、バッフル及び取出し部を備え、保存部の底部には穿孔が設けられ、取出し部は穿孔の下方に位置し、バッフルは移動可能に保存部と取出し部との間に設置され、選択的に穿孔を塞ぐまたは穿孔を取出し部から露出させる。
【０００５】
さらに保存部の頂部には第一開口が設置されており、収納ボックスはさらに蓋を備え、当該蓋は第一開口をカバーする。
【０００６】
さらにバッフル上には開孔が設けられており、この開孔はバッフルの移動に基づいて穿孔と一部が重なり合うまたは完全に重なり合う。
【０００７】
さらに保存部の底部は斜面に設計されており、穿孔はこの斜面の最も低い位置に設置されている。
【０００８】
さらに本考案の収納ボックスは収納部を備え、この収納部はバッフル及び取出し分を収納するために用いられ、収納部は保存部の下方に設置され、保存部は収納部に係合して接続される。
【０００９】
さらに収納部は周壁及び底壁を備え、底壁と周壁は接続されて収容空間を形成する。
【００１０】
さらに周壁の底壁に近接する位置には第二開口が設けられている。
【００１１】
さらに収納部は支持板を備え、支持板は収容空間内に位置し、支持板は周壁の第二開口の両側に分かれて設置され、支持板と周壁とはほぼ垂直であると共に、底壁とほぼ平行である。
【００１２】
さらに収納ボックスはひっかけ部を備える。
【００１３】
また、本考案は冷蔵庫を提供し、当該冷蔵庫は少なくとも一つの前記収納ボックスを備える。
【考案の効果】
【００１４】
以上のことから、収納ボックスは冷蔵庫等の保存装置に応用でき、使用者は穀物等の品物を必要に応じて保存したり、取り出したりできる。また、最適な空間で穀物等を保存できる。また、収納ボックスには、バッフルが設置されており、バッフルを移動可能に設置することで使用者は効果的に穀物等の品物等を取り出すことができる。
【図面の簡単な説明】
【００１５】
【図１】本考案に係る実施形態の収納ボックスが冷蔵庫に応用されていることを示す斜視図である。
【図２】本考案の図１に示す収納ボックスの分解斜視図である。
【図３】本考案の図１に示す収納ボックスを別の角度からみた分解斜視図である。
【図４】本考案の図２に示す収納ボックス全体の斜視図である。
【図５】本考案の図４に示す収納ボックスの断面図である。
【図６】本考案の図２に示す収納ボックスにおける収納部の構造を示す斜視図である。
【考案を実施するための形態】
【００１６】
以下、具体的な実施方法と図面とを併せて、本考案を詳細に説明する。
【００１７】
本考案の実施例中の図面と併せて、本考案の実施例中の技術方案に対して明瞭且つ完全に説明する。しかしながら、この説明する実施例は、本考案の一部の実施例にすぎず、全ての実施例ではない。本考案中の実施例に基づき、当業者が創造的な労働を必要とせずに得たその他の実施例は、全て本考案の保護範囲に属する。
【００１８】
特別に定義しない限り、本考案で使用する全ての技術及び科学技術用語は、本考案の当業者が通常理解できる意味と同じである。本文において、本考案の明細書中で使用されている技術用語は、ただ具体的に実施例の目的を説明するためであり、本考案を限定するものではない。
【００１９】
以下図面と併せて、本考案の実施例について詳細に説明する。矛盾しない限り、以下に記載の実施例と実施例中の特徴は互いに組み合わせることができる。
【００２０】
図１を参照すると、実施形態の収納ボックス１０が提供されている。この収納ボックス１０は冷蔵庫（図示せず）中に応用でき、穀物等を保存、取り出すために用いられる。具体的には、収納ボックス１０は前記冷蔵庫のドア２０上に応用される。
【００２１】
図２及び図３を併せて参照すると、収納ボックス１０は保存部１０２、バッフル１０３及び取出し部１０４を備える。
【００２２】
保存部１０２は略矩形のボックスであり、その内部は中空の構造となっている。故に、保存空間２００が形成され、穀物等を保存するために用いられる。また、保存部１０２の頂部には第一開口１０６が設けられており、この第一開口１０６により、穀物等を保存部１０２中に投入する。
【００２３】
その他の実施例において、収納ボックス１０はさらに蓋１０１を備える。この蓋１０１の形状及びサイズは第一開口１０６とマッチし、第一開口１０６をカバーするために用いられる。したがって、品物等を保存部１０２に密封して保存できる。
【００２４】
本実施例において、保存部１０２を透明な材料により製造して、品物の保存量を可視化できる。
【００２５】
本実施例において、保存部１０２の底部は穿孔１０７を備える。穿孔１０７は、保存部１０２に保存されている穀物等を穿孔１０７から取り出すために用いられる。
【００２６】
図４及び図５を併せて参照すると、その他の実施例において、保存部１０２の底部は斜面に設計されているため、傾斜した保存空間２００が形成されている。好ましくは、穿孔１０７は当該斜面の最も低い位置に設置され、これにより、品物を保存する度に、保存空間２００から比較的スムーズに穿孔１０７を介して取り出すことができる。
【００２７】
バッフル１０３は、保存部１０２の底部の下方に移動可能に設置され、選択的に穿孔１０７を塞ぐために用いられる。本実施例において、バッフル１０３はスライドされて穿孔１０７を塞ぐことができるが、これに限定されず、回転方法、ターン方法等によって穿孔１０７を塞いでもよい。
【００２８】
その他の実施例において、バッフル１０３上には開孔１０８が設けられている。これからわかるように、バッフル１０３を移動させると、開孔１０８が穿孔１０７から離れ、且つバッフル１０３の開孔１０８が設置されてない部分が完全に穿孔１０７を塞いだ場合、バッフル１０３は効果的に保存部１０２中の穀物等が穿孔１０７からこぼれ出るのを防ぐ。バッフル１０３を移動させ、開孔１０８と穿孔１０７の少なくとも一部が重なるか又は完全に重なった場合、保存部１０２中の穀物等は開孔１０８を介してこぼれ出ることができる。この他、穿孔１０７と開孔１０８とが重なり合う部分を調整することで、品物のこぼれ出る速度を制御できる。
【００２９】
その他の実施例において、バッフル１０３を容易に動かすことができるよう、さらにバッフル１０３の一側に取っ手１０９を設置してもよい。取っ手１０９は、バッフル１０３の一側に取り付けられる。これにより、使用者は取っ手１０９の操作を介して、バッフル１０３を保存部１０２に対して動かすことができる。
【００３０】
取出し部１０４は略ボックス状を呈し、且つバッフル１０３の真下に移動可能に設置される。この際、穿孔１０７と対峙している。このように、バッフル１０３を移動させて、バッフル１０３の一部が穿孔１０７を塞ぐ又は完全に塞がない場合、保存部１０２中の穀物等の品物は、穿孔１０７を介して取出し部１０４にこぼれ出る。
【００３１】
具体的には、本実施例において、収納ボックス１０はさらに収納部１０５を備える。この収納部１０５は、一部の部品、例えば、バッフル１０３、取出し部１０４等を収納したり、載せたりするために用いられる。収納部１０５は保存部１０２の下方に設置され、収納部１０５に係合して接続される。
【００３２】
図６を参照すると、具体的には、収納部１０５は二つの第一側壁１０５１、二つの第二側壁１０５３及び底壁１０５５を備える。これからわかるように、二つの第一側壁１０５１、二つの第二側壁１０５３は共同で収納部１０５の周壁を形成する。二つの第一側壁１０５１は互いに対向して設置されている。二つの第二側壁１０５３も互いに対向して設置されており、二つの第一側壁１０５１と接続されている。二つの第一側壁１０５１、二つの第二側壁１０５３は、底壁１０５５を囲んで設置されているため、一端が開口している収容空間３００が形成される。保存部１０２の底部の縁は、収納部１０５の開口されている縁と係合して接続されて、密閉された収納ボックス１０を形成する。
【００３３】
さらに、収納部１０５の周壁における底壁１０５５に近接する位置には、第二開口１０５６が設けられている。具体的には、一つの第二側壁１０５３における底壁１０５５に近接する位置に第二開口１０５６が設けられている。バッフル１０３及び取出し部１０４は、第二開口１０５６を介して移動可能に収容空間３００内に設置され、且つバッフル１０３と取出し部１０４は、第二開口１０５６を完全に塞ぐ。このように、取出し部１０４及びバッフル１０３の外表面と、第二側壁１０５３は同一平面上に位置する。これにより、収納ボックス１０の外観をさらに美しくする。
【００３４】
収納部１０５はさらに支持板１０５７を備える。この支持板１０５７は、バッフル１０３を支持するために用いられる。バッフル１０３は穿孔１０７に対峙している。具体的には、支持板１０５７は収容空間３００内に位置する。支持板１０５７は第二側壁１０５３の第二開口１０５６の両側に分かれて設置されている。支持板１０５７は第二側壁１０５３とほぼ垂直していると共に、底壁１０５５とほぼ平行している。支持板１０５７の穿孔１０７に近接する一側にはスライドレール１０５８が設置されている。バッフル１０３のスライドレール１０５８とマッチする両側にはそれぞれスライド溝１０３１が設置されている。バッフル１０３は、このスライド溝１０３１を介して、スライド可能にスライドレール１０５８と接続され、バッフル１０３は支持板１０５７に対してスライドして移動する。これにより、移動可能に穿孔１０７を塞ぐ。これからわかるように、バッフル１０３を移動させて、バッフル１０３が完全に穿孔１０７を塞いだ場合、バッフル１０３は効果的に保存部１０２中の穀物等の品物が穿孔１０７からこぼれ出るのを防ぐことができる。また、バッフル１０３を移動させて、バッフル１０３が穿孔１０７の一部を塞ぐか又は完全に塞がない場合、保存部１０２の穀物等の品物は、穿孔１０７中からこぼれ出ることができる。この他、バッフル１０３と穿孔１０７とが重なり合う部分を調整することで、品物がこぼれ出る速度を制御できる。
【００３５】
外に向けてバッフル１０３をスライドさせて、バッフル１０３が穿孔１０７の一部を塞ぐまたは完全に塞がない場合、保存部１０２中の穀物等の品物は、穿孔１０７中からこぼれ出ることができるのが好ましい。これとは逆に、内に向けてバッフル１０３をスライドさせて、バッフル１０３が穿孔１０７を完全に塞いだ場合、バッフル１０３は、効果的に保存部１０２中の穀物等の品物が穿孔１０７中からこぼれ出るのを防ぐことができる。
【００３６】
その他の実施例において、収納部１０５はさらに引っ張りリング（図示せず）を備え、この引っ張りリングにより、引っ張り出したバッフル１０３を自動で元の位置に戻すことができる。具体的には、バッフル１０３に対向する収納部１０５の周壁上には、フック１０５９が設置されていると共に、このフック１０５９に対向するバッフル１０３のフック１０５９に近い一端には、貫通孔１０３２が設けられている。前記引っ張りリングは貫通孔１０３２とフック１０５９との間に接続され、引っ張り出したバッフル１０３を引っ張りリングの作用力の下自動で元の位置に戻す。
【００３７】
取出し部１０４はバッフル１０３の真下に設置され、取出し部１０４は第二開口１０５６を介して移動可能に底壁１０５５上に設置される。取出し部１０４は穿孔１０７と対峙して設置される。
【００３８】
その他の実施例において、取出し部１０４上に開始スロット１０４１を設置してもよい。収納部１０５の底壁１０５５には対応するマッチスロット１０４２が設けられている。このマッチスロット１０４２と開始スロット１０４１とは互いにマッチして共同で収容空間４００を形成する。これにより、使用者は容易に取出し部１０４を取り出すことができる。
【００３９】
支持板１０５７は収納部１０５上に設置されることに限定されない。例えば、その他の実施例において、支持板１０５７は保存部１０２上に設置されることができる。具体的には、支持板１０５７は、保存部１０２の底部に設置され、穿孔１０７の両側に位置する。支持板１０５７と保存部１０２の底部との間には間隙が形成されており、バッフル１０３を収容するために用いられる。
【００４０】
その他の実施例において、収納ボックス１０はさらにひっかけ部４０を備える。ひっかけ部はそれぞれ収納ボックス１０の左右両側面、例えば、収納部１０５の二つの第一側壁１０５１に設置される。
【００４１】
ひっかけ部４０は、冷蔵庫のドア２０内の対応するスロット部３０と互いにマッチすることができ、ひっかけ部４０とスロット部３０とがマッチすることにより、収納ボックス１０を冷蔵庫のドア２０上に設置できる。
【００４２】
本実施例において、保存物の重量を考慮し、冷蔵庫の重心が変わらないよう、収納ボックス１０は冷蔵庫のドア２０の内側の最下方の位置に設置することができる。
【００４３】
その他の実施例において、実際の要求に基づいて、収納ボックス１０は冷蔵庫のドア２０の任意の位置または冷蔵庫内部の任意の位置に設置することができる。
【００４４】
以上のことから、収納ボックス１０は冷蔵庫に応用でき、使用者は穀物等の品物を必要に応じて保存したり、取出したりできる。また、最適な空間で穀物等を保存できる。また、収納ボックス１０には、バッフル１０３が設置されており、バッフル１０３を移動可能に設置することで使用者は効果的に穀物等の品物等を取り出すことができる。
【００４５】
以上の実施例は、本考案の技術方案を説明しているだけであり、これに制限されない。実施形態を参照して本考案に対して詳細に説明しているが、当業者であれば理解できるものであり、本考案の技術方案の精神及び本質を逸脱しない限り、本考案の技術方案に対して修正できる又は同等なものに置き換えることができる。
【符号の説明】
【００４６】
１０  収納ボックス
２０  ドア
３０  スロット部
４０  ひっかけ部
１０１  蓋
１０２  保存部
１０３  バッフル
１０４  取出し部
１０５  収納部
１０６  第一開口
１０７  穿孔
１０８  開孔
１０９  取っ手
２００  保存空間
３００、４００  収容空間
１０３１  スライド溝
１０３２  貫通孔
１０４１  開始スロット
１０４２  マッチスロット
１０５１  第一側壁
１０５３  第二側壁
１０５５  底壁
１０５６  第二開口
１０５７  支持板
１０５８  スライドレール
１０５９  フック
【図１】
0003216769.tif 000003
【図２】
0003216769.tif 000004
【図３】
0003216769.tif 000005
【図４】
0003216769.tif 000006
【図５】
0003216769.tif 000007
【図６】
0003216769.tif 000008